(57)【要約】【課題】本発明は、タッチパネル付き表示素子からなる入出力装置において、指のサイズより小さいキーの選択及び実行の操作性を向上することを目的とする。【解決手段】左右画像からなるサイドバイサイド画像を表示し、左画面と右画面のどちらか一方の画面に指の接触を検出した場合、前記検出した指の接触位置を検出し、もう一方の画面の前記接触位置に対応する位置にポインタを表示することにより、指よりも小さいサイズのキー入力操作が実現できる。【選択図】図１
2013218517.tif 000002
【特許請求の範囲】
【請求項１】
タッチパネルと、
立体視可能な左画像と右画像のサイドバイサイド表示画面およびポインタの表示を行う表示手段と、
前記タッチパネルと入力指示手段との接触およびその位置を検出する検出手段と、を具備し、
前記サイドバイサイド表示画面のどちらか一方の画面に前記入力指示手段の接触が検出された場合、他方の画面の前記検出された接触位置に対応する位置に前記ポインタを表示する入出力装置。
【請求項２】
前記サイドバイサイド表示画面をステレオビューアで視聴可能な請求項１記載の入出力装置。
【請求項３】
前記入力指示手段の接触が検出された画面に前記ポインタを表示する前記表示手段を具備する請求項１または請求項２記載の入出力装置。
【請求項４】
前記入力指示手段の接触が検出されなくなった場合に、所定時間後に前記ポインタの表示をオフとする前記表示手段を具備する請求項１から請求項３のいずれかに記載の入出力装置。
【請求項５】
前記ポインタをオフするまでは、前記入力指示手段の移動に応じて、前記ポインタの表示を変更可能な前記表示手段を具備する請求項４記載の入出力装置。
【請求項６】
立体視可能な左画像と右画像のサイドバイサイド表示画面およびポインタの表示を表示手段で行うステップと、
タッチパネルと入力指示手段との接触およびその位置を検出手段で検出するステップと、
前記サイドバイサイド表示画面のどちらか一方の画面に前記入力指示手段の接触が検出された場合、他方の画面の前記検出された接触位置に対応する位置に前記ポインタを表示するステップと、
を備える入出力方法。
【請求項７】
請求項１乃至請求項５のいずれかに記載の入出力装置を具備する携帯端末装置。
【発明の詳細な説明】
【技術分野】
【０００１】
本発明は、携帯電話や携帯端末やデジタルカメラなどの電子機器の入出力装置に関するものである。
【背景技術】
【０００２】
従来の携帯電話や携帯端末やデジタルカメラの操作方法として、液晶パネルなどの表示素子上に配置された透明なタッチパネル、すなわち接触センサ等による操作方法がある。タッチパネル付き表示画面上に表示されたキーの位置に指が触れたことを検出し、指の接触位置から上記キーが選択されたことを検出し、上記キーの入力操作（選択または実行操作など）が行われる。
【０００３】
図８に従来の携帯端末の入出力方法の一例を示す。タッチパネル付き表示素子上に表示されたキーを指でタッチしたときにキーの実行が行われる。
【０００４】
指でキーの位置を正確に指定するためには、表示素子に表示するキーの大きさは指のサイズと同等かそれ以上であることが必要である。指よりも小さいサイズのキーは、指に隠れて見えにくい。
【０００５】
特に、携帯端末装置やデジタルカメラの表示素子の多くは、３インチから５インチの小型サイズのため、一度に表示させるキーの数には限界がある。
【０００６】
指よりも小さいキーを指定しやすくする方法として、例えば特許文献１に記載されている方法がある。
【０００７】
タッチパネル上の指が触れた位置にポインタ（またはマーカー）を表示する。このポインタは指のサイズよりも大きく、指からはみ出た位置に矢印のような形状の指定部分を有する。これにより、指定位置が指に隠れないため、指よりも小さいキーなどを正確に指定することができる。
【０００８】
左目視線の左画像と右目視線の右画像を横に並べた、いわゆるサイドバイサイド（ＳＢＳ）表示のステレオ画像の中の左画像を左目で、右画像を右目で見ることにより、立体視が可能になる。上記ステレオ画像を、双眼レンズを介して見ることで左右画像をそれぞれ左右の目で見やすくなる。この双眼レンズ系はステレオビューアとも呼ばれる。
【０００９】
このステレオビューアによる立体表示方式は小型表示画面を近くで見ることができるため臨場感のある３Ｄ画像及び大画面の画像を表示することができる。
【００１０】
図９は従来のステレオビューアによる立体（３D）表示装置の構造図である。
【００１１】
ステレオビューアによる３D表示を視聴している最中に入力操作を行う方法として、例えば特許文献２に記載されている方法がある。
【００１２】
左右画面の対応する位置にキーを２つ表示し、どちらか一方のキーが指で指定されたときにキーの実行操作を行うことで、キーの立体視と、タッチパネルによるキー入力操作が可能となる。
【先行技術文献】
【特許文献】
【００１３】
【特許文献１】特開２００９−２４５２３９号公報
【特許文献２】特開２０１１−１９１３８４号公報
【発明の概要】
【発明が解決しようとする課題】
【００１４】
従来のタッチパネル付き表示素子に表示されたキーを指、またはスタイラスペンなどのその他入力指示手段でタッチしたときにキーの実行が行われるという入力方法では、指またはスタイラスペンなどのその他入力指示手段のサイズより小さいキーの選択及び実行操作が困難であった。
【００１５】
また、従来の特許文献１に記載されている方法は、ポインタで指のサイズより小さいキーの指定が可能であるが、ポインタをキー位置に移動する操作とそのキーの実行操作の２段階の操作が必要となるという課題があった。
【００１６】
本発明は、タッチパネルを用いて指またはスタイラスペンなどのその他入力指示手段よりも小さいサイズのキー操作を実現することを目的とする。
【課題を解決するための手段】
【００１７】
次に、上記の課題を解決するための手段について述べる。
【００１８】
本発明の入出力装置は、タッチパネルと、立体視可能な左画像と右画像のサイドバイサイド表示画面およびポインタの表示を行う表示手段と、前記タッチパネル上の入力指示手段の接触とその位置を検出する検出手段と、を具備し、前記サイドバイサイド表示画面のどちらか一方の画面に前記入力指示手段の接触が検出された場合、他方の画面の前記検出された接触位置に対応する位置に前記ポインタを表示する。
【００１９】
この構成により、指のサイズより大きいキーの指定と実行が容易となる。
【００２０】
また、本発明の入出力装置は、前記サイドバイサイド表示画面をステレオビューアで視聴可能である。
【００２１】
この構成により、大画面表示または立体表示が可能となる。
【００２２】
また、本発明の入出力装置は、前記第一画面の接触位置に前記ポインタを表示する。
【００２３】
この構成により、第一画面上から指が離れた後でも、接触位置の確認がしやすくなる。
【００２４】
また、本発明の入出力装置は、前記第一画面の指の接触が検出されなくなった場合に、所定時間後に前記ポインタの表示をオフとする。
【００２５】
この構成により、第一画面上から指が離れた後でも、接触位置の確認がしやすくなる。
【００２６】
また、本発明の入出力装置は、前記ポインタをオフするまでは、指の移動に応じて、前記ポインタの表示の変更が可能である。
【００２７】
この構成により、ポインタ指定位置がずれていたときに、微調整による修正が可能となる。
【発明の効果】
【００２８】
本発明によれば、タッチパネルを用いて指またはスタイラスペンなどのその他入力指示手段よりも小さいサイズのキー操作が実現できる。
【図面の簡単な説明】
【００２９】
【図１】本発明の実施の形態１の携帯端末装置の入出力方法を示す図
【図２】本発明の実施の形態１のステレオビューアの構造図
【図３】本発明の実施の形態１の入出力装置のブロック構成図
【図４】本発明の実施の形態１の入出力方法のフローチャート
【図５】本発明の実施の形態１の入出力方法の追加機能を示す図
【図６】本発明の実施の形態２の入出力方法の第二の追加機能を示す図
【図７】本発明の実施の形態２の入出力方法のフローチャート
【図８】従来のタッチパネルを用いた入出力方法を示す図
【図９】従来のステレオビューアを用いた入出力方法を示す図
【発明を実施するための形態】
【００３０】
以下、本発明の実施の形態について、図面を用いて説明する。
【００３１】
（実施の形態１）
図１は、本実施の形態１の携帯端末装置の入力装置及び入出力方法を示す図である。
【００３２】
なお、本実施の形態１は、携帯端末装置を例に記載するが、パソコンやデジカメなどタッチパメル付き表示素子を有する入力装置を具備した電子機器であっても構わない。
【００３３】
本実施の形態１の携帯端末装置１は、タッチパネル付き表示素子４を備えている。
【００３４】
図１（２）に示すように、タッチパネル付き表示素子の画面を左と右の２つに分けて左画面２には左画像、右画面３には右画像を表示させる。
【００３５】
左画像と右画像をそれぞれ左右の目で別々に見ることで立体視が可能となる。
【００３６】
立体視しやすくするために図２に記載するステレオビューアを用いても構わない。ステレオビューア１１は、アーム８と双眼レンズ９と固定部１０からなり、図２（１）のように携帯端末装置１に固定される。
【００３７】
図２は、ステレオビューアと携帯端末装置は分離できる構造であるが、ステレオビューア１１と携帯端末装置１が一体化されていても構わない。
【００３８】
また、表示素子に表示する左右画像は立体画像ではなく、２Ｄ画像すなわち同一画像であっても構わない。ステレオビューアを介して視聴すると、大画面２Ｄ表示や３Ｄ表示が可能となる。
【００３９】
図３には、本実施の形態の携帯端末装置の入出力装置のブロック構成図を示す。
【００４０】
本入力装置は、タッチパネル１４、表示手段１５、検出手段１６、ポインタ制御手段１７から構成される。タッチパネル１４と表示手段１５は、一体化されたタッチパネル付き表示素子４を指す。検出手段１６は、タッチされた指等の接触位置をタッチパネル１４の出力から検出し、検出手段１６の検出情報をもとに、ポインタ制御手段１７は表示手段１５に表示されるポインタの表示方法を制御する。
【００４１】
なお、本実施の形態では、タッチパネルに指が接触することを想定して説明するが、指の代わりに入力指示手段、すなわち、指やタッチペンやスタイラスペンなどでも構わない。
【００４２】
次に、本実施の形態の入出力方法の詳細について説明する。
【００４３】
図１（２）に示すように、左画面の座標系をＸＹ、座標系原点をＯ、右画面の座標系をＸ’Ｙ’、座標系原点をＯ’とする。
【００４４】
キー７は左右画面ともに同一のものを表示し、立体視可能なものとする。
【００４５】
ここで、キー７の位置は、左右画面の座標系のＸＹ座標とＸ’Ｙ’座標が、ほぼ同じ位置となるように配置する。左画面のキー７のＹ座標と右画面のキー７のＹ’座標は同じであるが、Ｘ座標とＸ’座標は一致していなくても、立体視可能である。
【００４６】
左右画面上のどちらか一方に指６が接触したとき、例えば図１（２）のように右画面の指の接触位置（点）Ｐｒをタッチパネルが検出し、接触位置（点）Ｐｒに対応するもう一方の左画面の対応する位置Ｐｌに、ポインタ５を表示する。
【００４７】
ここで対応する位置とは、図１（３）に示すように、右画面のキーまたは表示画像に対する接触点Ｐｒの位置と、左画面のキーまたは表示画像に対する接触点Ｐｌの位置関係が同じであること、すなわちベクトルａｌ＝ベクトルａｒを意味する。
【００４８】
また、ここでポインタとは、指が接触した位置を示すオブジェクトを指し、例えば点や円や矢印のオブジェクトなどを指す。オブジェクトの形状はどんなものでも構わない。
【００４９】
右画面の指６で接触した部分のキーは指６に隠れて見えにくいが、左画面のキーとポインタ５を左目で見ることができるため、ユーザはキー及びタッチ位置の把握が可能となる。このとき、キーは指の下に透けて見える。
【００５０】
これにより、ユーザは指に隠れたキーの位置を確認できるため、指よりも小さいサイズのキー操作が可能となる。
【００５１】
なお、上記キー操作は、ポインタの位置指定と実行を一つの操作で行うことができる。
【００５２】
図４には、本発明の実施の形態１の入力方法のフローチャートの一例を示す。
【００５３】
ステップＳ１で左右どちらかの画面に指が検出されたかどうかを判断し、指が検出されたときには、それが左画面かどうかを判断（Ｓ２）し、それが左画面のときには、右画面の対応する位置にポインタを表示（Ｓ３）し、左画面のときには、右画面の対応する位置にポインタを表示（Ｓ４）する。
【００５４】
さらに、ポインタによりキーが選択されたかどうかを判断（Ｓ５）し、選択されたときには、キーの選択またはキー機能の実行を行った（Ｓ６）のち、Ｓ１に戻る。選択されない場合には、そのままＳ１に戻る。
【００５５】
以上が入出力方法のフローである。
【００５６】
図５は、本発明の実施の形態１の入力方法の追加機能を示す。
【００５７】
ここで追加機能とは、右画面に指が接触したことを検出したのち、右画面の接触位置にも左画面と同様にポインタ５を表示させる機能を指す。
【００５８】
このとき左右のポインタ５は、指が右画面から離れたのちも所定時間は表示をしつづける。
【００５９】
これにより、ユーザは指を画面から離したのちでも、指の接触した位置が確認しやすくなる。
【００６０】
また、左右のポインタが表示されることからポインタを両目で確認しやすくなる。
【００６１】
なお、上記は、接触位置が右画面の場合を仮定して説明したが、左画面の場合も同様である。
【００６２】
（実施の形態２）
本実施の形態２は、上記実施の形態１の機能に加えて、ポインタ表示の位置を微調整する第二の追加機能を有するものである。
【００６３】
図６は実施の形態２の入力方法の第二の追加機能を示す図である。
【００６４】
図６は、実施の形態１の図５に示すポインタ表示が所定時間保持されている状態において、指を再度画面に接触させたのち、その指をスライドさせた様子を示す。
【００６５】
このとき指のスライドの動きすなわちベクトルｂ１に連動して左右画面のポインタ５をベクトルｂ２だけ移動させる。ここで、指が接触する絶対位置の検出は不要で、指の相対的動き量のみ検出する。
【００６６】
これにより、ポインタの位置が所望の位置からずれていたときに、微調整による修正を行うことができる。
【００６７】
微調整時には、指をポインタに直接触れる必要がないため、ポインタ位置を確認しやすく、微調整の操作性が向上する。
【００６８】
次に、微調整でポインタの位置を決定したのち、ポインタが表示中であり、かつポインタ位置にキーが存在した場合には、指のタップ（タッピング）操作によりそのキーが選択または実行が行われる。
【００６９】
ポインタ表示の時間が所定時間より過ぎた場合には、ポインタ表示が消えて、上記の微調整やタップ操作によるキーの実行は行われない。
【００７０】
なお、ベクトルｂ１とｂ２は方向が同じとするが、大きさは異なっても構わない。ベクトルｂ１の大きさをベクトルｂ２よりも大きくすると、ポインタ位置の微調整がより行いやすくなる。
【００７１】
図７に、本発明の実施の形態２の入出力方法のフローチャートを示す。
【００７２】
左または右画面に指が検出（Ｓ７）されたときには、指が触れた位置ともう一方の画面の対応する位置にポインタを表示（Ｓ８）させる。
【００７３】
なおここで、ポインタ表示は指が触れていない方の画面のみでも構わない。
【００７４】
次に、指が画面から離れたことを検出（Ｓ９）し、タッピングと判断したときには選択されたキーの選択または実行（Ｓ１０）を行う。
【００７５】
指が画面から離れたあと、所定時間の間はポインタを表示しつづける。
【００７６】
なお、所定時間とはおよそ０．５秒から数秒程度の時間を指す。短すぎると微調整のモードに移行しにくく、長すぎると連続するキー操作の間隔が長くなってしまうため、最適な時間設定が必要である。なお、時間設定は使用者自身が設定できる様にしても構わない。
【００７７】
所定時間が経過したかを判断（Ｓ１１）し、所定時間経過していれば、ポインタ表示を消し（Ｓ１２）、Ｓ７に戻る。
【００７８】
一方、所定時間を経過していなければ、左または右画面に接触した指が検出されたかどうか判断（Ｓ１３）し、検出されなければＳ１１に戻る。検出された場合は、指のタップ動作かどうかを判断（Ｓ１４）し、タップ動作であれば、選択されたキーの実行を行い、Ｓ７に戻る。タップ動作でなければ、指のスライド量を検出してそれに応じてポインタを移動（Ｓ１５）させたのち、Ｓ１１に戻る。
【００７９】
以上により、実施の形態１の機能に加えて、ポインタ位置の微調整ができ、指よりも小さいキーの選択及び実行機能が、より正確に実現できる。
【産業上の利用可能性】
【００８０】
本発明は、携帯電話や携帯端末やデジタルスチルカメラなど、タッチパネル付き表示素子を含む電子機器に用いられる撮影装置に利用可能である。
【符号の説明】
【００８１】
１    携帯端末装置
２    左画面
３    右画面
４    タッチパネル付き表示素子
５    ポインタ
６    指
７    キー
【図１】
2013218517.tif 000003
【図２】
2013218517.tif 000004
【図３】
2013218517.tif 000005
【図４】
2013218517.tif 000006
【図５】
2013218517.tif 000007
【図６】
2013218517.tif 000008
【図７】
2013218517.tif 000009
【図８】
2013218517.tif 000010
【図９】
2013218517.tif 000011